(57)【特許請求の範囲】
【請求項１】
被洗浄車両と洗車機本体を相対移動しながら前記被洗浄車両の洗車を行う洗車設備であって、
前記被洗浄車両の移動経路に面して、前記被洗浄車両の運転者が操作する洗車機本体の操作手段を備え、
前記操作手段に、
前記被洗浄車両の洗車を進行するための案内を前記運転者に対してアナウンスする指向性音声手段、および通常音声手段を設け、
前記操作手段より入力される操作信号に基づいて、前記通常音声手段または前記指向性音声手段、および両音声手段よりアナウンスされる案内の内容を選択する制御手段を設け、
前記制御手段には、前記案内の内容毎およびアナウンスの時間帯毎に、前記通常音声手段と前記指向性音声手段のどちらから案内をアナウンスするか、またはそれら両方から案内をアナウンスするかが予め設定されていること
を特徴とする洗車設備。
【請求項２】
前記制御手段には、前記案内の内容毎およびアナウンスの時間帯毎に、前記通常音声手段と前記指向性音声手段より案内をアナウンスする音量、およびアナウンスを繰り返す回数が予め設定されていること
を特徴とする請求項１に記載の洗車設備。
【請求項３】
前記操作手段に、前記通常音声手段と前記指向性音声手段のどちらから案内をアナウンスするか、またはそれら両方から案内をアナウンスするかどうかを選択する選択釦を設けたこと
を特徴とする請求項１または請求項２に記載の洗車設備。
【請求項４】
前記洗車機本体に、周囲の音量を検出する検出手段を設け、
前記制御手段は、前記検出手段より入力される検出信号に基づいて、前記通常音声手段と前記指向性音声手段のどちらから案内をアナウンスするか、またはそれら両方から案内をアナウンスするかどうかを変更すること
を特徴とする請求項１〜請求項３のいずれか１項に記載の洗車設備。
【請求項５】
前記制御手段は、前記検出手段より入力される検出信号に基づいて、前記アナウンスする音量および前記アナウンスを繰り返す回数を変更すること
を特徴とする請求項４に記載の洗車設備。
【請求項６】
前記案内の内容が、前記洗車機本体の異常を報知する内容のとき、少なくとも前記通常音声手段から前記案内をアナウンスすること
を特徴とする請求項１〜請求項５のいずれか１項に記載の洗車設備。
【請求項７】
前記指向性音声手段は、前記操作手段の上部に垂設された第１の支持部材に、前記被洗浄車両の運転席に向けて取り付けられること
を特徴とする請求項１〜請求項６のいずれか１項に記載の洗車設備。
【請求項８】
前記操作手段を上下方向へスライド自在に構成したこと
を特徴とする請求項７に記載の洗車設備。
【請求項９】
前記操作手段は、前記洗車機本体に第２の支持部材を介して取り付けられていること
を特徴とする請求項１〜請求項８のいずれか１項に記載の洗車設備。
【発明の詳細な説明】
【技術分野】
【０００１】
本発明は、被洗浄車両と洗車機本体を相対移動させて前記被洗浄車両の洗浄を行う洗車設備、特にセルフ洗車にて被洗浄車両の運転者に対して案内をアナウンスする洗車設備に関するものである。
【背景技術】
【０００２】
従来の上記セルフ洗車にて被洗浄車両の運転者に対して案内をアナウンスする洗車設備の一例が、特許文献１に開示されている。
この洗車設備は、床面に敷設された左右一対のレールに支持案内され、前後方向に往復移動しながら被洗浄車両を洗車する洗車機本体と、被洗浄車両の進入通路に面してその側方に洗車機本体の操作装置を設け、洗車機本体および操作装置に運転者に対して案内をアナウンスするスピーカを設け、案内の内容毎にアナウンスの音量、およびアナウンスの繰り返し回数が前記操作装置より設定され、この設定に従い被洗浄車両の運転者に対して案内をアナウンスしている。
【０００３】
このような洗車設備によれば、案内の内容毎にアナウンスの音量、またはアナウンスの繰り返し回数が、洗車設備の作業員によって、洗車設備が設置された環境や被洗浄車両の運転者の反応に応じて設定されており、例えば重要な内容の音声案内を被洗浄車両の運転者へ伝達するとき、アナウンスの音量を高め、またはアナウンスの繰り返し回数を増すことによって、必要な情報が運転者に精度良く受け入れられるようにされている。
【特許文献１】特開２００１‐２０６２０４号公報
【発明の開示】
【発明が解決しようとする課題】
【０００４】
しかしながら、洗車設備が設置される環境では、昼間は近辺道路を走行する車両の走行音、または周囲の作業音や生活音が大きく、そのためアナウンスする音量を高め、さらにアナウンスを繰り返す回数を増しても、運転者にとって案内の内容が聞き取りにくく、逆に夜間は車両の走行音、または周囲の作業音や生活音が小さくなり、大きな音量に設定されたアナウンスが繰り返されると、案内のアナウンスが周辺民家等への騒音となることが危惧されている。すなわち、夜間に案内のアナウンスが周辺民家等への騒音となることを考慮してアナウンスの音量を小さく設定すると、昼間に運転者が案内の内容を聞き取りにくく、昼間に運転者へ案内の内容を良好に聞かせるためアナウンスの音量を大きく設定すると、夜間に案内のアナウンスが周辺民家等への騒音となってしまう恐れがあった。
【０００５】
そこで、本発明は、運転者に案内が精度良く受け入れられるとともに、案内のアナウンスが周辺民家等に対し騒音となることを改善できる洗車設備を提供することを目的とする。
【課題を解決するための手段】
【０００６】
前述した目的を達成するために、本発明の請求項１記載の発明は、被洗浄車両と洗車機本体を相対移動しながら前記被洗浄車両の洗車を行う洗車設備であって、前記被洗浄車両の移動経路に面して、前記被洗浄車両の運転者が操作する洗車機本体の操作手段を備え、前記操作手段に、前記被洗浄車両の洗車を進行するための案内を前記運転者に対してアナウンスする指向性音声手段、および通常音声手段を設け、前記操作手段より入力される操作信号に基づいて、前記通常音声手段または前記指向性音声手段、および両音声手段よりアナウンスされる案内の内容を選択する制御手段を設け、前記制御手段には、前記案内の内容毎およびアナウンスの時間帯毎に、前記通常音声手段と前記指向性音声手段のどちらから案内をアナウンスするか、またはそれら両方から案内をアナウンスするかが予め設定されていることを特徴とするものである。
【０００７】
上記構成によれば、操作手段に、指向性音声手段を設け、指向性音声手段より運転者に対して案内がアナウンスされることにより、運転者に案内が精度良く受け入れられる。また、指向性音声手段よりアナウンスされる案内が指向性を有し、とどく範囲が限定されているため、案内のアナウンスが周辺民家等への騒音となることが改善される。
さらに、制御手段によって、案内の内容毎およびアナウンスの時間帯毎に、予め設定された通常音声手段と指向性音声手段のどちらから案内をアナウンスするか、またはそれら両方から案内をアナウンスするかどうかが判断され、例えば昼間、車両の走行音または周囲の作業音や生活音が大きい場合、通常音声手段および指向性音声手段の両方から運転者に対して案内がアナウンスされ、また夜間、車両の走行音または周囲の作業音や生活音が小さい場合、指向性音声手段だけで被洗浄車両の運転者に対して案内がアナウンスされる。さらに、昼間に周囲からの暗騒音が大きい環境下では、指向性音声手段の口径を大きくして振動素子数を増して必要な音量を確保しなければならず、高額なコストが掛かるだけではなく口径を大きくすることにより指向性音声手段の取り付けが困難となるが、通常音声手段と指向性音声手段を併用することにより小口径の指向性音声手段で対応可能なため、指向性音声手段の振動素子数を増すことなくコストが低減されるとともに、洗車設備の操作装置に容易に取り付けられる。
【００１０】
また請求項２記載の発明は、上記請求項１に記載の発明であって、前記制御手段には、前記案内の内容毎およびアナウンスの時間帯毎に、前記通常音声手段と前記指向性音声手段より案内をアナウンスする音量、およびアナウンスを繰り返す回数が予め設定されていることを特徴とするものである。
【００１１】
上記構成によれば、制御手段によって、案内の内容毎およびアナウンスの時間帯毎に、予め設定されたアナウンスの音量およびアナウンスを繰り返す回数が判断され、例えば昼間、車両の走行音または周囲の作業音や生活音が大きい場合、アナウンスの音量を大きく、アナウンスを繰り返す回数を多くして、運転者に対して案内がアナウンスされ、また夜間、車両の走行音または周囲の作業音や生活音が小さい場合、アナウンスの音量を小さく、アナウンスを繰り返す回数を少なくして、運転者に対して案内がアナウンスされる。
【００１２】
また請求項３記載の発明は、上記請求項１または請求項２のいずれか１項に記載の発明であって、前記操作手段に、前記通常音声手段と前記指向性音声手段のどちらから案内をアナウンスするか、またはそれら両方から案内をアナウンスするかどうかを選択する選択釦を設けたことを特徴とするものである。
【００１３】
上記構成によれば、操作手段に通常音声手段と指向性音声手段のどちらから案内をアナウンスするか、またはそれら両方から案内をアナウンスするかどうかを選択する選択釦を設けたことにより、運転者が最も精度良く受け入れやすい案内をアナウンスする各音声手段が運転者により選択される。
【００１４】
また請求項４記載の発明は、上記請求項１〜請求項３のいずれか１項に記載の発明であって、前記洗車機本体に、周囲の音量を検出する検出手段を設け、前記制御手段は、前記検出手段より入力される検出信号に基づいて、前記通常音声手段と前記指向性音声手段のどちらから案内をアナウンスするか、またはそれら両方から案内をアナウンスするかどうかを変更することを特徴とするものである。
【００１５】
上記構成によれば、制御手段により、検出手段より入力される検出信号に基づいて、通常音声手段と指向性音声手段のどちらから案内をアナウンスするか、またはそれら両方から案内をアナウンスするかどうかが変更され、例えば周囲の作業音が大きい場合、通常音声手段および指向性音声手段の両方から運転者に対して案内がアナウンスされる。
【００１６】
また請求項５記載の発明は、上記請求項４に記載の発明であって、前記制御手段は、前記検出手段より入力される検出信号に基づいて、前記アナウンスする音量および前記アナウンスを繰り返す回数を変更することを特徴とするものである。
【００１７】
上記構成によれば、制御手段により、検出手段より入力される検出信号に基づいて、アナウンスの音量およびアナウンスを繰り返す回数が変更され、例えば周囲の作業音が大きい場合、アナウンスの音量を大きく、アナウンスを繰り返す回数を多くして、運転者に対して案内がアナウンスされる。
【００１８】
また請求項６記載の発明は、上記請求項１〜請求項５のいずれか１項に記載の発明であって、前記案内の内容が、前記洗車機本体の異常を報知する内容のとき、少なくとも前記通常音声手段から前記案内をアナウンスすることを特徴とするものである。
【００１９】
上記構成によれば、例えば洗車機本体に異常が発生すると、通常音声手段から案内がアナウンスされることにより、周囲にも案内がアナウンスされる。
また請求項７記載の発明は、上記請求項１〜請求項６のいずれか１項に記載の発明であって、前記指向性音声手段は、前記操作手段の上部に垂設された第１の支持部材に、前記被洗浄車両の運転席に向けて取り付けられることを特徴とするものである。
【００２０】
上記構成によれば、指向性音声手段は、操作手段の上部に垂設された第１の支持部材に、前記被洗浄車両の運転席に向けて取り付けられ、指向性音声手段より上方から斜め下方の運転席（運転者）に対して案内がアナウンスされることにより、周辺民家等に対して案内がアナウンスされることなく、周辺民家等への騒音が防止される。
【００２１】
また請求項８記載の発明は、上記請求項７に記載の発明であって、前記操作手段を上下方向へスライド自在に構成したことを特徴とするものである。
上記構成によれば、被洗浄車両の運転席の高さに合わせて操作手段を上下にスライドさせることにより、被洗浄車両の運転席の高さ位置に違いがあっても、操作手段とともに上下方向へスライドされる指向性音声手段より、上方から斜め下方の被洗浄車両の運転席（運転者）に対して案内がアナウンスされることにより、周辺民家等に対して案内がアナウンスされることなく、周辺民家等への騒音が防止される。
【００２２】
また請求項９記載の発明は、上記請求項１〜請求項８のいずれか１項に記載の発明であって、前記操作手段は、前記洗車機本体に第２の支持部材を介して取り付けられていることを特徴とするものである。
【００２３】
上記構成によれば、操作手段が洗車機本体に取り付けられ、洗車機本体の相対移動に伴って操作手段も相対移動することにより、運転者が操作手段の操作を行った被洗浄車両の停車位置にて、被洗浄車両の洗車が開始される。
【発明の効果】
【００２４】
本発明によれば、操作手段に、指向性を有し、被洗浄車両の運転者に対して案内をアナウンスする指向性音声手段を設けたことにより、運転者は案内を精度良く受け入れることができ、またアナウンスされる案内が指向性を有し、とどく範囲が限定されているため、案内のアナウンスが周辺民家等への騒音となることを改善でき、さらに通常音声手段と指向性音声手段を併用することにより、小口径の指向性音声手段で対応でき、指向性音声手段の振動素子数を増すことなくコストを低減できるとともに、洗車設備の操作装置に容易に取り付けることができる。
【発明を実施するための最良の形態】
【００２５】
以下、本発明を実施するための最良の形態を図面に基づいて説明する。
「実施の形態１」
本発明の実施の形態１について説明する。
【００２６】
図１，図２に示すように、１は、床面に敷設された左右一対の外側レール２に支持案内されて前後方向Ａに往復移動自在な洗車機本体であり、その往復移動は走行駆動装置３により行われる。また、洗車機本体１は、正面視において門型をしており、その内部には車両４をブラッシングする洗浄装置（図示せず）と、空気を噴出して車両４を乾燥する乾燥装置（図示せず）と、洗浄水、あるいは洗剤、あるいはワックス液を車両４に噴霧するスプレー装置（図示せず）を備え、また外側レール２に沿って配置された被検出体（図示せず）を検出することにより、洗車機本体１が外側レール２の始端位置のホームポジションＨＰ（原点）に位置することを検出するリミットスイッチからなるホームポジション検出スイッチ５と、洗車機本体１が外側レール２の終端位置のエンドポジションＥＰ（終点）に位置することを検出するリミットスイッチからなるエンドポジション検出スイッチ６が配設されている。
【００２７】
また、外側レール２に沿ってその内側に、洗車機本体１内を貫く左右一対の駆動ローラコンベヤ７が敷設され、一対のローラコンベヤ７の間隔を車両４の左右の車輪４Ａの間隔とし、各ローラコンベヤ７の幅を、車両４の車輪４Ａの幅に余裕を持たせた幅としている。このローラコンベヤ７の正逆駆動は作動装置８により行われる。また一方のローラコンベヤ７に、車両４が所定の洗車開始時の車両停止位置に載ったことを、前記車両４の車輪４Ａの検出により判断する車載検出スイッチ10が設けられている。
【００２８】
前記洗車機本体１の前面上方の中央部には、車両４の車高を検出する超音波センサからなる車高検出センサ11が設けられ、また内部上方位置には、車両４の運転者に対し案内をアナウンスする第２スピーカ12が設けられている。また前記外側レール２の始端位置の後方には、車両４の運転席から視認可能な位置に、退場誘導灯13が設けられ、この退場誘導等13に従い洗車機本体１の後方を退場する車両４の通路に、車両４の通過を検出する一対の光電スイッチからなる車両退場検出スイッチ14が設けられている。さらに洗車機本体１の側方外部には、周囲の音量を検出する音量検出器（検出手段の一例）15が設けられている。
【００２９】
前記ローラコンベヤ７の前端部の前方には、車両４の進入を阻止する遮断器16が設けられ、さらに遮断器16の前側上方に、遮断器16の前の進入通路（移動径路の一例）Ｓへの車両４の進入を検出する超音波センサからなる車両検出センサ1７が設けられ、進入通路Ｓに面してその側方に操作装置（操作手段の一例）18が設けられている。
【００３０】
この操作装置18は、図３に示すように、床面に固定された支持脚19と、この支持脚19の上端に設けられ、車両４の運転者に操作されるリモートパネル20により構成されている。このリモートパネル20は車両４の運転席より操作できるように進入通路Ｓに対向しており、リモートパネル20には、洗車スタートスイッチ、洗車ストップスイッチ、洗車コース選択スイッチ、洗車条件を設定するための設定スイッチなどのスイッチ群22や硬貨投入孔を備えた料金ボックス23、会員カード挿入口を備えたカード識別器24などが設けられている。
【００３１】
また操作装置18には、その支持脚19に、運転者に対して車両４の洗車を進行するための案内をアナウンスする第１スピーカ（通常音声手段の一例）26が内蔵され、操作装置18の上部に、スピーカフレーム（第１の支持部材の一例）27が垂設され、スピーカフレーム27の上部に指向性スピーカ（指向性音声手段の一例）28が車両４の運転席に向けて設けられている。なお、指向性スピーカ28は、洗車機本体１の周囲に広がらないように、案内がとどく範囲を限定する指向性を有し、案内を運転者に対してアナウンスするもので、例えば特許第２６６５００７号に開示されており、その詳細な説明を省略する。
【００３２】
また、洗車機本体１の右方前面には、車両４内の運転者に対して進入および待機を指示する信号機30がアーム31を介して車両進入方向の手前側に突出した状態で取付けられている。このアーム31の一端は洗車機本体１にボルト，ナット（図示せず）を介して連結され、アーム31の他端部は上向きに曲げられ、上記信号機30はアーム31の他端にボルト，ナット（図示せず）を介して取り付けられている。この信号機30には、『進入して下さい』というメッセージが表示される進入回転灯（青色ランプ）32と、『お待ち下さい』というメッセージが表示される待機回転灯（赤色ランプ）33が設けられている。またアーム31の途中には、斜め前方に向けた停止回転灯（赤色ランプ）34と『赤ランプ点灯まで前進してください』が印字されたプレートを配置した停止パネル35が取り付けられている。
【００３３】
前記洗車機本体１の前面側部には、図１，図２に示すように制御ボックス36が設けられている。この制御ボックス36には、リモートパネル20より入力される操作信号に基づいて、第１スピーカ26または指向性スピーカ28、および両スピーカ26，28よりアナウンスされる案内の内容を選択するマイクロコンピュータからなる制御装置（制御手段の一例）37が配置されている。
【００３４】
また上記第１スピーカ26，第２スピーカ12および指向性スピーカ28にはそれぞれ、図５に示すように、制御装置37より案内の音声信号とアナウンスの音量およびアナウンスの繰り返し回数を指定する制御信号を入力すると、音声信号を制御信号に基づいてその案内の音量および回数を制御して、各スピーカ26，12，28を駆動するボリュームコントローラ（音声駆動手段）26ａ，12ａ，28ａが設けられている。前記音声信号と制御信号については後述する。なお、例えば第２スピーカ12より案内をアナウンスしない場合には、制御装置37よりボリュームコントローラ12ａに音量無しの制御信号が出力される。
【００３５】
上記制御装置37には、車両検出センサ17により車両４が検出された時間を出力する時計38と、洗車機本体１に設けられている複数のセンサ群39が接続され、図４に示すように、洗車機本体１に設けた各ポジション検出スイッチ５，６、車高検出センサ11、音量検出器15、時計38およびセンサ群39と、操作装置18に設けたスイッチ群22、料金ボックス23およびカード識別器24と、ローラコンベヤ７に設けた車載検出スイッチ10と、車両検出センサ17と、車両退場検出スイッチ14より各検出信号と操作信号が入力される。制御装置37は、これらの各検出信号と操作信号に基づいて、洗車機本体１に設けた走行駆動装置３、第２スピーカ12、進入回転灯32、待機回転灯33、停止回転灯34、洗浄装置、乾燥装置およびスプレー装置と、操作装置18に設けた料金ボックス23、カード識別機24、ボリュームコントローラ26ａ，12ａ，28ａと、ローラコンベヤ７に設けた作動装置８と、退場誘導灯13、遮断機16へ制御信号を出力し、洗車設備全体の制御を行っている。
【００３６】
以下、本発明の要部である、制御装置37による第１スピーカ26と指向性スピーカ28と第２スピーカ12の制御について詳細に説明する。
上記制御装置37には、図５に示すように、時計38より出力される時間信号、音量検出部15より出力される音量検出信号に基づいて、ボリュームコントローラ26ａ，12ａ，28ａを制御するスピーカコントロール部（音声制御手段）37ａが設けられ、このスピーカコントロール部37ａに、案内の内容毎、および時計38より出力される時間に基づき判断される昼間か夜間かの時間帯毎に、第１スピーカ26と指向性スピーカ28のどちらからアナウンスするか、またはそれら両方から案内をアナウンスするかどうかが予め設定される。また制御装置37のスピーカコントロール部37ａには、案内の内容毎、および時計38より出力される時間に基づき判断される昼間か夜間かの時間帯毎に、アナウンスの音量、およびアナウンスを繰り返す回数が予め設定される。
【００３７】
これらの各設定は、例えば図６（ａ）に示すように、アナウンス内容のデータＮｏを指定し、第１スピーカ26よりアナウンスするか指向性スピーカ28よりアナウンスするか、またはそれら両方のスピーカ26，28よりアナウンスするかを昼間と夜間それぞれに設定し、次いでアナウンスの音量およびアナウンスを繰り返す回数を昼間と夜間でそれぞれに設定することにより行われる。
【００３８】
前記第１スピーカ26、第２スピーカ12および指向性スピーカ28よりアナウンスされる案内は、例えば、第１スピーカ26と指向性スピーカ28の使い分け、アナウンスの音量およびアナウンスの繰り返し回数の設定は、運転者にリモートパネル20の操作を促す案内の場合には、運転者がリモートパネル20を操作しようとする意思を有しているため、昼間は第１スピーカ26および指向性スピーカ28より、“中”の音量にて１回アナウンスされ、夜間は指向性スピーカ28より、“中”の音量より小さく設定されている“弱”の音量にて１回アナウンスされる。また運転者に車両４の操作を促す案内の場合には、その案内を運転者に確実に伝達する必要があり、昼間は第１スピーカ26および指向性スピーカ28より、“中”の音量より大きく設定されている“強”の音量にて１回アナウンスされ、夜間は指向性スピーカ28より、“中”の音量にて１回アナウンスされる。
【００３９】
また異常時のアナウンスの場合には、運転者だけでなく周囲に対しても異常発生の案内をアナウンスして警告する必要があり、昼間と夜間の区別なく第１スピーカ26および指向性スピーカ28より、“強”の音量にて３回アナウンスされるとともに、第２スピーカ12からも予め設定されるアナウンスの音量およびアナウンスの繰り返し回数にて異常発生の案内がアナウンスされる。なお運転者に車両４の走行を促す案内をアナウンスする場合には、昼間は第１スピーカ26および指向性スピーカ28より、“強”の音量にて３回アナウンスされ、夜間は第１スピーカ26および指向性スピーカ28より、“中”の音量にて３回アナウンスされる。
【００４０】
またスピーカコントロール部37ａには、第２スピーカ12よりアナウンスされる案内の内容が設定され、図６（ｂ）に示すように、第２スピーカ12よりアナウンスされる案内は、車両４の洗車開始位置に車両４が移動した後にアナウンスされ、アナウンスする音量およびアナウンスの繰り返し回数が洗車設備の作業員により、洗車設備が置かれた環境や運転者の反応に応じて設定される。また洗車機本体１が異常の場合には、第２スピーカ12より異常を報知する案内がアナウンスされる。そのとき、通常のアナウンスより音量を大きく、さらに繰り返す回数を増加してアナウンスされる。
【００４１】
また制御装置37のスピーカコントロール部37ａは、案内をアナウンスする際に、洗車機本体１の音量検出器15より設定値以上の音量が検出されると、図６（ａ）に示すスピーカ種別に関係なく、第１スピーカ26と指向性スピーカ28から同時に案内をアナウンスし、アナウンスの音量を一時的に一段階大きくし、同じ内容の案内をアナウンスする回数を増加する。
【００４２】
前記案内が前記音声信号に相当し、前記アナウンスの音量およびアナウンスの繰り返し回数が制御信号に相当する。
以下、車両４の洗車時における、スピーカコントロール部37ａによるスピーカ動作を、洗車設備の動作とともに、図７および図８のフローチャートにしたがって説明する。
【００４３】
洗車開始前において、図１に実線で示すように、洗車機本体１はホームポジションＨＰに待機させており、遮断器16を閉じた状態としている。まず、車両検出センサ17により洗車を行う車両４を検出すると（ステップ‐１）、時計38の出力により現在の時刻が、昼間か夜間かの時間帯が判断され（ステップ‐２）、昼間と判断されると、『アンテナを下げラジオを消して下さい。』の案内を第１スピーカ26および指向性スピーカ28より音量“強”でアナウンスし（ステップ‐３）、続けて『ドアミラーをたたんで下さい。』の案内をステップ‐３と同様に第１スピーカ26および指向性スピーカ28より音量“強”でアナウンスし（ステップ‐４）、続けて『カードまたは料金を入れて下さい。』の案内を第１スピーカ26および指向性スピーカ28より音量“中”でアナウンスする（ステップ‐５）。
【００４４】
運転者は、このアナウンスによりアンテナを下げ、ドアミラーをたたんだ後、硬貨あるいはカードにより料金を支払う。次に、料金ボックス23あるいはカード識別器24より料金あるいはカードの挿入が確認されると（ステップ‐６）、『洗車コースボタンを押して下さい。』の案内を第１スピーカ26および指向性スピーカ28より音量“中”でアナウンスする（ステップ‐７）。
【００４５】
運転者は、この案内によりスイッチ群22より洗車コースを選択する。次にスイッチ群22の選択操作信号を確認すると（ステップ‐８）、このコースにより前記料金の過不足を判断し（ステップ‐９）、不足していると、『料金不足です。料金を追加して下さい。』の案内を第１スピーカ26および指向性スピーカ28より音量“中”でアナウンスし（ステップ‐10）、料金を超えている場合には、硬貨によるとき、料金ボックス23によりお釣りを支払わせ、カードのとき、カード識別機24によりカードを返却させ（ステップ‐11）、『カードをお取り下さい。』の案内を第１スピーカ26および指向性スピーカ28より音量“中”でアナウンスする（ステップ‐12）。
【００４６】
次に、『お車のタイプを選んで下さい。』の案内を第１スピーカ26および指向性スピーカ28より音量“中”でアナウンスする（ステップ‐13）。運転者は、この案内によりスイッチ群22より車両４のタイプを選択する。
【００４７】
次に車両のタイプの選択操作信号を確認すると（ステップ‐14）、『装備品があれば該当するボタンを押して下さい。なければ確認ボタンを押して下さい。』の案内を第１スピーカ26および指向性スピーカ28より音量“中”でアナウンスする（ステップ‐15）。
【００４８】
運転者は、この案内によりスイッチ群22より装備品があれば該当するボタンを押し、なければ確認ボタンを押す。次に装備品の該当ボタンの操作信号を確認すると（ステップ‐16）、『ほかの装備品がなければ確認ボタンを押して下さい。』の案内を第１スピーカ26および指向性スピーカ28より音量“中”でアナウンスする（ステップ‐17）。
【００４９】
運転者は、この案内によりスイッチ群22より装備品があれば該当するボタンを押し、なければ確認ボタンを押す。次に、確認ボタンの操作信号を確認すると（ステップ‐18）、車載検出スイッチ10がオフかどうかを確認し（ローラコンベヤ７上の車両４の有無を確認し）（ステップ‐19）、オフのとき、遮断器16を開駆動し（ステップ‐20）、進入回転灯（青色ランプ）32を点灯し、待機回転灯（赤色ランプ）33を消灯し（ステップ‐21）、『赤い停止回転灯が点灯するまでゆっくり前進して下さい。』の案内を第１スピーカ26および指向性スピーカ28より音量“強”で３回アナウンスする（ステップ‐22）。
【００５０】
また、上記ステップ‐２において、夜間と判断されると以降のスピーカの種別、アナウンスの音量、アナウンスの繰り返し回数を夜間に設定されているものでアナウンスする（ステップ‐23）。以下、ステップ‐３〜ステップ‐22を夜間と判断された場合について説明する。まず『アンテナを下げラジオを消して下さい。』の案内を指向性スピーカ28より音量“中”でアナウンスし（ステップ‐３）、続けて『ドアミラーをたたんで下さい。』の案内をステップ‐３と同様に指向性スピーカ28より音量“中”でアナウンスし（ステップ‐４）、続けて『カードまたは料金を入れて下さい。』の案内を指向性スピーカ28より音量“弱”でアナウンスする（ステップ‐５）。
【００５１】
運転者は、このアナウンスによりアンテナを下げ、ドアミラーをたたんだ後、硬貨あるいはカードにより料金を支払う。次に、料金ボックス23あるいはカード識別器24より料金あるいはカードの挿入が確認されると（ステップ‐６）、『洗車コースボタンを押して下さい。』の案内を指向性スピーカ28より音量“弱”でアナウンスする（ステップ‐７）。
【００５２】
運転者は、この案内によりスイッチ群22より洗車コースを選択する。次にスイッチ群22の選択操作信号を確認すると（ステップ‐８）、このコースにより前記料金の過不足を判断し（ステップ‐９）、不足していると、『料金不足です。料金を追加して下さい。』の案内を指向性スピーカ28より音量“弱”でアナウンスし（ステップ‐10）、料金を超えている場合には、硬貨によるとき、料金ボックス23によりお釣りを支払わせ、カードのとき、カード識別機24によりカードを返却させ（ステップ‐11）、『カードをお取り下さい。』の案内を指向性スピーカ28より音量“弱”でアナウンスする（ステップ‐12）。
【００５３】
次に、『お車のタイプを選んで下さい。』の案内を指向性スピーカ28より音量“弱”でアナウンスする（ステップ‐13）。運転者は、この案内によりスイッチ群22より車両４のタイプを選択する。
【００５４】
次に車両のタイプの選択操作信号を確認すると（ステップ‐14）、『装備品があれば該当するボタンを押して下さい。なければ確認ボタンを押して下さい。』の案内を指向性スピーカ28より音量“弱”でアナウンスする（ステップ‐15）。
【００５５】
運転者は、この案内によりスイッチ群22より装備品があれば該当するボタンを押し、なければ確認ボタンを押す。次に装備品の該当ボタンの操作信号を確認すると（ステップ‐16）、『ほかの装備品がなければ確認ボタンを押して下さい。』の案内を指向性スピーカ28より音量“弱”でアナウンスする（ステップ‐17）。
【００５６】
運転者は、この案内によりスイッチ群22より装備品があれば該当するボタンを押し、なければ確認ボタンを押す。次に、確認ボタンの操作信号を確認すると（ステップ‐18）、車載検出スイッチ10がオフかどうかを確認し（ローラコンベヤ７上の車両４の有無を確認し）（ステップ‐19）、オフのとき、遮断器16を開駆動し（ステップ‐20）、進入回転灯（青色ランプ）32を点灯し、待機回転灯（赤色ランプ）33を消灯し（ステップ‐21）、『赤い停止回転灯が点灯するまでゆっくり前進して下さい。』の案内を第１スピーカ26および指向性スピーカ28より音量“中”で３回アナウンスする（ステップ‐22）。
【００５７】
なお、上記ステップ‐１〜ステップ‐22を実行する間に、洗車設備の異常が検出され、洗車機本体１が異常停止されると、『異常停止です。そのまましばらくお待ち下さい。』の案内を第１スピーカ26および指向性スピーカ28より音量“強”で３回アナウンスするとともに、第２スピーカ12からも予め設定されるアナウンスの音量およびアナウンスの繰り返し回数にて異常発生の案内をアナウンスする。
【００５８】
その後車両４の運転者は、進入回転灯（青色ランプ）32の点灯を確認し、遮断器16が開くと、車両４を前進させてローラコンベヤ７上へ乗り入れる。次に車載検出スイッチ10がオンかどうかを確認し（ステップ‐24）、車載検出スイッチ10がオンとなると、停止回転灯（赤色ランプ）34を点灯する（ステップ‐25）。
【００５９】
上記ステップ‐24にて、停止回転灯34を点灯すると、『車を止めて下さい。ギヤをパーキングにしサイドブレーキを強くかけて下さい。』の案内を第２スピーカ12よりアナウンスし（ステップ‐26）、遮断器16を閉駆動し（ステップ‐27）、進入回転灯（青色ランプ）32を消灯し、待機回転灯（赤色ランプ）33を点灯する（ステップ‐28）。車両４の運転者は、停止回転灯34が点灯すると車両４を停止させる。これにより、洗車開始時の車両停止位置へ車両４が停止され、次に第２スピーカ12により、『窓を閉め終わってから、エンジンを止めて下さい。まもなく洗車が始まります。』の案内をアナウンスする（ステップ‐29）。
【００６０】
車両４の運転者は、このアナウンスにより窓を閉めて洗車の開始を待つ。次に、洗車機本体１の走行駆動装置３を前方に駆動し（ステップ‐30）、ローラコンベヤ７の作動装置８を後方に作動させる（ステップ‐31）。これにより、洗車機本体１は外側レール２に支持案内されてホームポジションＨＰから前方へ走行移動し、洗浄装置およびスプレー装置により所定の洗浄工程を行う（ステップ−32）。このとき、ローラコンベヤ７は洗車機本体１と逆方向に作動され、車両４は洗車機本体１と逆方向に移動する（相対移動する）ため、洗車の際、洗車機本体１の移動距離を短縮して洗車し得る。
【００６１】
そして、エンドポジション検出スイッチ６が動作し、図１に示すように、洗車機本体１がエンドポジションＥＰに到達したことを確認すると（ステップ−33）、洗車機本体１の走行駆動装置３を後方に駆動し（ステップ−34）、ローラコンベヤ７の作動装置８を前方に作動させる（ステップ−35）。これにより、洗車機本体１は外側レール２に支持案内されてエンドポジションＥＰから後方へ走行移動し、乾燥装置により所定の乾燥工程を行う（ステップ−36）。このとき、ローラコンベヤ７は洗車機本体１と逆方向に作動されることから、車両４は逆方向の前方に移動する。
【００６２】
その後、洗車機本体１がホームポジションＨＰに戻ると（ステップ−37）、洗車機本体１の走行駆動装置３を停止し（ステップ−38）、退場誘導灯13を点灯し（ステップ−39）、『洗車終了しました。お車をゆっくり退出して下さい。』の案内を第２スピーカ12よりアナウンスする（ステップ−40）。
【００６３】
これにより、洗車機本体１はホームポジションＨＰで停止し、運転者は車両４を前進させ、ローラコンベヤ７より下ろして退場させる。車両４の移動（退場）により車両退場検出スイッチ14がオンとなると（ステップ−41）、退場誘導灯13を消灯し（ステップ−42）、終了する。
【００６４】
以上のように本実施の形態１によれば、操作装置18に、指向性スピーカ28を設け、指向性スピーカ28より車両４の運転者に対して案内がアナウンスされることにより、運転者に案内が精度良く受け入れられることができ、また指向性スピーカ28よりアナウンスされる案内が指向性を有し、とどく範囲が限定されているため、案内のアナウンスが周辺民家等への騒音となることを改善できる。
【００６５】
また本実施の形態１によれば、制御装置37により、案内の内容毎および時間帯毎に、予め設定された第１スピーカ26と指向性スピーカ28のどちらから案内をアナウンスするか、またはそれら両方から案内をアナウンスするかどうかが判断され、例えば昼間、車両の走行音または周囲の作業音や生活音が大きい場合、第１スピーカ26および指向性スピーカ28の両方から車両４の運転者に対して案内をアナウンスでき、また夜間、車両の走行音または周囲の作業音や生活音が小さい場合、指向性スピーカ28だけで車両４の運転者に対して案内をアナウンスできる。よって、案内のアナウンスが周辺民家等への騒音となることを改善できる。さらに、昼間に周囲からの暗騒音が大きい環境下では、指向性スピーカ28の口径を大きくして振動素子数を増して必要な音量を確保しなければならず、高額なコストが掛かるだけではなく口径を大きくすることにより指向性スピーカ28の取り付けが困難となるが、第１スピーカ26と指向性スピーカ28を併用することにより小口径の指向性スピーカ28で対応可能なため、指向性スピーカ28の振動素子数を増す必要がなくコストを低減できるとともに、洗車設備の操作装置18に容易に取り付ることができる。
【００６６】
また本実施の形態１によれば、制御装置37により、案内の内容毎および時間帯毎に、予め設定されたアナウンスの音量およびアナウンスを繰り返す回数が判断され、例えば昼間、車両の走行音または周囲の作業音や生活音が大きい場合、アナウンスの音量を大きく、アナウンスを繰り返す回数を多くして、車両４の運転者に対して案内をアナウンスでき、また夜間、車両の走行音または周囲の作業音や生活音が小さい場合、アナウンスの音量を小さく、アナウンスを繰り返す回数を少なくして、車両４の運転者に対して案内をアナウンスできる。よって、案内のアナウンスが周辺民家等への騒音となることを改善できる。
【００６７】
また本実施の形態１によれば、制御装置37により、洗車機本体１の音量検出器15より入力される検出信号に基づいて、第１スピーカ26と指向性スピーカ28のどちらから案内をアナウンスするか、またはそれら両方のスピーカ26，28から案内をアナウンスするかどうかが選択され、例えば周囲の作業音が大きい場合、第１スピーカ26と指向性スピーカ28から同時に車両４の運転者に対して案内をアナウンスできる。よって、車両４の運転者が案内のアナウンスを精度良く受け入れることができる。
【００６８】
また本実施の形態１によれば、制御装置37により、洗車機本体１の音量検出器15より入力される検出信号に基づいて、アナウンスの音量およびアナウンスを繰り返す回数を変更し、例えば周囲の作業音が大きい場合、アナウンスの音量を大きく、アナウンスを繰り返す回数を多くして、車両４の運転者に対して案内をアナウンスできる。よって、車両４の運転者が案内のアナウンスを精度良く受け入れることができる。
【００６９】
また本実施の形態１によれば、指向性スピーカ28は、操作装置18の上部に垂設されたスピーカフレーム27に、車両４の運転席に向けて取り付けられ、指向性スピーカ28より上方から斜め下方の車両４の運転席（運転者）に対して案内がアナウンスされることにより、周辺民家等に対して案内がアナウンスされることを防止でき、案内のアナウンスが周辺民家等への騒音となることを改善できる。
【００７０】
また本実施の形態１によれば、洗車機本体１の異常が検出され、制御装置37により洗車機本体１が異常停止されると、全てのスピーカ26，12，28から案内がアナウンスされることにより、周囲に対しても洗車設備の異常をアナウンスできる。
【００７１】
なお、上記実施の形態１において、リモートパネル20が支持脚19に固定されているが、リモートパネル20を支持脚19に沿って上下方向へスライド自在に構成してもよく、例えば支持脚19の側部に上下方向へレール（図示せず）を設け、支持脚19の内部にエアシリンダ装置（図示せず）を設け、エアシリンダ装置の上下動により、リモートパネル20が前記レールに沿って上下動するような構成とし、上記車両検出センサ17を車両４の車高が検出可能な超音波センサから形成する構成としてもよい。このような構成によれば、車両検出センサ17に検出される車体形状から車両４の運転席の位置が高いと判断されると、その高さに合わせてリモートパネル20が上方にスライドされる。よって、車両４の運転席の高さ位置に違いがあっても、操作装置18とともに上方向へスライドされる指向性スピーカ28より、常に上方から斜め下方の車両４の運転者に対して案内をアナウンスでき、車両４の運転者が案内のアナウンスを精度良く受け入れることができるとともに、案内のアナウンスが周辺民家等への騒音となることを改善できる。
【００７２】
また上記実施の形態１において、ローラコンベヤ７を駆動して車両４を移動させているが、車両４を移動させない形式の洗車設備においても、車両４の洗車を実行できる。よってローラコンベヤが不要となり、さらにローラコンベヤ７を設置するピットを設ける工事が不要となり、コストを大幅に低減することができる。
【００７３】
また上記実施の形態１において、洗車機本体１を前後方向Ａへ移動させて車両４の洗車を実行しているが、洗車機本体１を固定し、ローラコンベヤ７でのみ車両４を移動させる形式とすることもでき、洗車機本体１の走行駆動装置３を不要とすることができる。
「実施の形態２」
本発明の実施の形態２について説明する。なお、上記実施の形態と同一な箇所は符号を同一とし、その詳細な説明を省略する。
【００７４】
図９，図１０に示すように、１´は被洗浄車両である車両４を跨ぎ、車両４の前後方向に走行する門型の洗車機本体であり、複数個の輪体50を介して床面に敷設された一対の外側レール２の上を走行可能で、実行可能な複数の洗車コースの中から選択された一つの洗車コースに基づいて、車両４を跨いで前後方向Ａへ移動しながら車両４の洗車を行う。
【００７５】
前記洗車機本体１´の前面部には、操作装置18の代わりに、前方に突出されたＬ字型の支持脚（第２の支持部材の一例）19´を介して、リモートパネル20を昇降自在に設け、操作装置18´としている。また支持脚19´には第１スピーカ26を設け、操作装置18の上部にスピーカフレーム27が垂設され、スピーカフレーム27の上部に車両４の運転席に向けて指向性スピーカ28が設けられている。
【００７６】
さらに洗車機本体１´の前端部には、車両４の運転者に車両４の進入および停止を報知する手段として、青色ランプからなる進入回転灯32´と赤色ランプからなる待機回転灯33´が設けられている。
【００７７】
このような構成によれば、リモートパネル20が支持脚19´を介して洗車機本体１´に取り付けられ、車両４がリモートパネル20の操作位置に停車すると、車両検出センサ17により検出される車両４の車高に基づいてリモートパネル20が昇降され、車両４の運転者はリモートパネル20を快適に操作でき、リモートパネル20の操作位置にて車両４の洗車が実行できる。また第１スピーカ26および指向性スピーカ28より、運転者に対して案内をアナウンスできるとともに、洗車設備の設置スペースは広くなるが、ローラコンベヤ７が不要となり、ローラコンベヤ７に掛かるコストを大幅に低減することができる。
【００７８】
なお上記実施の形態１および２において、図３に２点鎖線で示すように、リモートパネル20のスイッチ群22に、第１スピーカ26から案内をアナウンスするか、指向性スピーカ28から案内をアナウンスするか、両方のスピーカ26，28から案内をアナウンスするかを選択する選択釦41を設ける構成としてもよい。このような構成によれば、車両４の運転者に選択釦41が操作され、運転者により最も聞き取りやすい案内をアナウンスする方法が選択され、運転者は案内のアナウンスを精度良く受け入れることができる。
【００７９】
また上記実施の形態１および２において、洗車機本体１の側方外部に音量検出器15を設ける構成とし、周囲の作業音を検出しているが、洗車機本体１の側方外部に音量検出器15を設ける構成に限らず、音量検出器15を周囲の音量が検出できる位置に設ける構成であればよく、例えば、運転者に近い操作装置18の側方外部に設けるような構成であってもよい。
【００８０】
また上記実施の形態１および２において、洗車機本体１に音量検出器15を設け、音量検出器15の検出信号に基づいて、周囲の作業音が大きい場合、第１スピーカ26と指向性スピーカ28から同時に案内をアナウンスし、アナウンスの音量を大きくし、アナウンスの繰り返し回数を増加しているが、音量検出器15の検出信号に基づいて、周囲の作業音が小さい場合に、指向性スピーカ28から案内をアナウンスし、アナウンスの音量を小さくし、アナウンスの繰り返し回数を減少させる構成としてもよく、案内のアナウンスが周辺民家等への騒音となることを改善できる。
【図面の簡単な説明】
【００８１】
【図１】本発明の実施の形態１における洗車設備の側面図である。
【図２】同洗車設備の平面図である。
【図３】同洗車設備の操作装置の正面図である。
【図４】同洗車設備の制御構成図である。
【図５】同洗車設備のスピーカの制御構成図である。
【図６】同洗車設備からアナウンスされる案内の一覧である。
【図７】同洗車設備の動作を制御するフローチャートである。
【図８】同洗車設備の動作を制御するフローチャートである。
【図９】本発明の実施の形態２における洗車設備の側面図である。
【図１０】同洗車設備の正面図である。
【符号の説明】
【００８２】
Ａ      前後方向
Ｓ      進入通路
ＨＰ      ホームポジション
ＥＰ      エンドポジション
１，１´    洗車機本体
４      車両
７      ローラコンベヤ
12      第２スピーカ
12ａ    ボリュームコントローラ
15      音量検出器
17      車両検出センサ
18，18´    操作装置
19，19´    支持脚
20      リモートパネル
26      第１スピーカ
26ａ    ボリュームコントローラ
27      スピーカフレーム
28      指向性スピーカ
28ａ    ボリュームコントローラ
37      制御装置
37ａ    コントロール部
38      時計
41      選択釦
【図１】
0004941341.tif 000002
【図２】
0004941341.tif 000003
【図３】
0004941341.tif 000004
【図４】
0004941341.tif 000005
【図５】
0004941341.tif 000006
【図６】
0004941341.tif 000007
【図７】
0004941341.tif 000008
【図８】
0004941341.tif 000009
【図９】
0004941341.tif 000010
【図１０】
0004941341.tif 000011